(57)【要約】【課題】機器本体の意匠ケースの角部とその角部に連なる辺縁部に設けた発光部を一様に光らせることが可能な技術を提供する。【解決手段】外部に露出する第１角部とその第１角部に連なる第１辺縁部に発光部１１を有する機器本体の意匠ケースと、第１辺縁部の発光部である第１辺縁部発光部１３ａに沿って意匠ケースの内部に設けられ、長手方向の端面から入射する光を第１辺縁部発光部１３ａに出射可能に構成された棒状の第１導光体１４ａと、第１導光体１４ａの端面に光を入射する第１光源１５ａと、第１角部の発光部である第１角部発光部１２ａに対向して意匠ケースの内部に設けられ、第１角部発光部１２ａに対向する側とは反対側の第１端面１６ｂから入射する光を第１角部発光部１２ａに出射可能に構成された第２導光体１６と、第２導光体１６の第１端面１６ｂに光を入射する第２光源１７ｂと、を備えることを特徴とする。【選択図】図１
2012199015.tif 000002
【特許請求の範囲】
【請求項１】
外部に露出する第１角部とその第１角部に連なる第１辺縁部に発光部を有する機器本体の意匠ケースと、
前記第１辺縁部の発光部である第１辺縁部発光部に沿って前記意匠ケースの内部に設けられ、長手方向の端面から入射する光を前記第１辺縁部発光部に出射可能に構成された棒状の第１導光体と、
前記第１導光体の前記端面に光を入射する第１光源と、
前記第１角部の発光部である第１角部発光部に対向して前記意匠ケースの内部に設けられ、前記第１角部発光部に対向する側とは反対側の第１端面から入射する光を前記第１角部発光部に出射可能に構成された第２導光体と、
前記第２導光体の前記第１端面に光を入射する第２光源と、
を備えることを特徴とする電子機器。
【請求項２】
前記意匠ケースは、前記第１角部に連なる前記第１辺縁部とは反対側の第２辺縁部と、前記第２辺縁部の連なる前記第１角部とは反対側の第２角部とをさらに有し、前記第２辺縁部と前記第２角部に発光部を有し、
前記第２導光体は、前記第２辺縁部の発光部である第２辺縁部発光部、および前記第２角部の発光部である第２角部発光部にさらに対向し、前記第２角部発光部に対向する側とは反対側の第２端面から入射する光を前記第２角部発光部に出射可能に構成され、
前記第２導光体の前記第２端面に光を入射する第３光源をさらに備え、
前記第２導光体における前記第１端面および前記第２端面の両方から入射する光を、前記第２辺縁部発光部に出射可能に構成されていることを特徴とする請求項１に記載の電子機器。
【請求項３】
前記意匠ケースは、前記第２辺縁部の連なる前記第２角部とは反対側の第３角部をさらに有し、前記第３角部に発光部を有し、
前記第３角部の発光部である第３角部発光部に対向して、前記意匠ケースの内部に設けられ、前記第３角部発光部に直接、光を入射する第４光源をさらに備えることを特徴とする請求項１に記載の電子機器。
【請求項４】
前記第２導光体は、前記第１端面、前記第２端面、および前記第２辺縁部発光部に対向する第３端面を３つの端面とする三角板状であることを特徴とする請求項２又は３に記載の電子機器。
【請求項５】
外部に露出する角部とその角部に連なる辺縁部に発光部を有する機器本体の意匠ケースと、
前記辺縁部の発光部である辺縁部発光部に沿って前記意匠ケースの内部に設けられ、長手方向の端面から入射する光を前記辺縁部発光部に出射可能に構成された棒状の導光体と、
前記導光体の前記端面に光を入射する第１光源と、
前記角部の発光部である角部発光部に対向して、前記意匠ケースの内部に設けられ、前記第角部発光部に直接、光を入射する第２光源と、
を備えることを特徴とする電子機器。
【請求項６】
前記発光部は、ラメまたは着色されたガラスフレークが分散されている、あるいは、前記ラメまたは前記ガラスフレークを混ぜた透明インクが印刷されていることを特徴とする請求項１から５のいずれか１項に記載の電子機器。
【請求項７】
棒状の導光体であって、一端から入射した光を長手方向に延びる１側面に向けて反射す
る反射面を長手方向に沿って複数有する第１導光体と、
略三角板状の導光体であって、互いに対向する３つの端面のうちの１つの端面と、該端面の両端にそれぞれ連なる２つの角部端面と、を連続する出光面とし、他の２つの端面からそれぞれ独立に光が入射する第２導光体と、
を備えることを特徴とする導光体。
【請求項８】
前記第１導光体の前記１側面が、前記第２導光体の前記２つの角部端面のうちの一方と連なり、略Ｌ字に曲がって延びる出光面を形成することを特徴とする請求項７に記載の導光体。
【請求項９】
棒状の導光体であって、一端から入射した光を長手方向に延びる１側面に向けて反射する反射面を長手方向に沿って複数有する第３導光体をさらに備え、
前記第３導光体の前記１側面が、前記第２導光体の前記２つの角部端面のうちの他方と連なり、略Ｕ字に曲がって延びる出光面を形成することを特徴とする請求項８に記載の導光体。
【請求項１０】
少なくとも２つの辺縁部と該２つの辺縁部によって形成される角部とを含む発光部を備えた意匠ケースと、
該意匠ケースの辺縁部に沿って、入射された光を導光する導光体と、
該導光体に入射される該光を発する第１の光源と、
該意匠ケースの該角部に向かって光を照射する第２の光源と、を備え、
該第1の光源から発された光は、該発光部の該辺縁部から該意匠ケース外部に出射され
、
該第２の光源から発された光は、該意匠ケースの内側から該角部の外側に出射されることを特徴とする電子機器。
【請求項１１】
前記第２の光源は、前記光透過ケースの前記角部に向かって光を直接照射することを特徴とする請求項１０に記載の電子機器。
【請求項１２】
前記光透過ケースの前記発光部は、ラメまたは着色されたガラスフレークが分散されている、あるいは前記ラメまたは前記ガラスフレークを混ぜた透明インクが印刷されていることを特徴とする請求項１０または１１に記載の電子機器。
【発明の詳細な説明】
【技術分野】
【０００１】
本発明は、発光部を有する機器本体の意匠ケースを備えた電子機器及び導光体に関する。
【背景技術】
【０００２】
携帯電話等の小型の電子機器において、機器本体の意匠ケースに発光部を設けることがある。例えば、携帯電話では、ケースに設けた発光部を光らせることにより、報知音に加えて、あるいは報知音の代わりに、視覚的に着信や受信等を使用者に知らせるように構成される。このような発光部は、一般的に、意匠ケースの一部を透明とし、ケース内部に配置した光源の光をケース外部に透過させることで発光させる構成となっている。光源としては、小型電子機器では、省スペースの観点から、ＬＥＤが一般的に使用される。
【０００３】
携帯電話では、種々の角度から発光部の発光を確認できるように、例えば、ケース外周部の縁に沿って細長く帯状に発光部を形成することがある。このような細長く形成された発光部は、視認性の観点から、全体的に均一に発光させる必要がある。
【０００４】
光源として用いられるＬＥＤは、点光源である。したがって、ＬＥＤを用いてケース外周部をムラなく一様に発光させようとする場合、外周部に向けたＬＥＤを多数個緻密に配置し、かつ拡散板等をＬＥＤの前方に配置して輝度むらの低減を図る構成が考えられる。しかし、この構成の場合、小型電子機器ではＬＥＤを配置するスペースが不足したり、部材点数が増えてコストアップとなってしまうという問題がある。
【０００５】
一方、端面から入射した光を側方に照射散乱するように加工や印刷、拡散材分散等の処理を施した導光棒を使用して、ＬＥＤの光を間接的に外周部に向けて照射する方法がある（特許文献１、２参照）。この方法では、１個のＬＥＤで広い（長い）領域を一様に照射することができるので、小型電子機器の外周部のイルミネーションとして使用される場合も多い。
【０００６】
しかしながら、この導光棒を使用する方式では、直線部分やゆるやかな曲線部分を一様に光らせることは特に問題ないが、図７に示すように、直角あるいは小さい曲げＲで導光体を曲げると、曲げ部以降での光強度が小さくなってしまうことにより、角部を含む外周部を一様に光らせることは難しかった。すなわち、図７に示すように、発光部１０３が、機器本体の意匠ケースの外周縁に沿って帯状に延びる略コ字状に形成され、導光体１０４が、発光部１０３の内側面に沿って略コ字状に曲げられた構成となっている場合、導光体１０４両端のそれぞれの光源１０５から略直線的に延びる部分１０４ａ、１０４ｂでは、発光部１０３を一様に光らせることができるが、導光体１０４の角部１０４ｄ、１０４ｅとそれらをつなぐ辺縁部１０４ｃにおいて出射される光の強度が小さくなってしまう。
【０００７】
また、図８に示すように、複数の導光棒１０４を組み合わせて導光体部分に曲げ部を設けない構成とすることも考えられる。この構成の場合、直線的に構成された辺縁部については光強度の減衰なく一様に照射することができるが、光らせる方向が変化する角部については、発光部１０３の角部をムラなく一様に照射するように配光設計することが難しい。
【先行技術文献】
【特許文献】
【０００８】
【特許文献１】特許第４４６３２４６号公報
【特許文献２】特開２０１０−１５７５２３号公報
【発明の概要】
【発明が解決しようとする課題】
【０００９】
本発明は上記の従来技術の課題を解決するためになされたもので、その目的とするところは、機器本体の意匠ケースの角部とその角部に連なる辺縁部に設けた発光部を一様に光らせることが可能な技術を提供することにある。
【課題を解決するための手段】
【００１０】
上記目的を達成するために、本発明における電子機器は、
外部に露出する第１角部とその第１角部に連なる第１辺縁部に発光部を有する機器本体の意匠ケースと、
前記第１辺縁部の発光部である第１辺縁部発光部に沿って前記意匠ケースの内部に設けられ、長手方向の端面から入射する光を前記第１辺縁部発光部に出射可能に構成された棒状の第１導光体と、
前記第１導光体の前記端面に光を入射する第１光源と、
前記第１角部の発光部である第１角部発光部に対向して前記意匠ケースの内部に設けられ、前記第１角部発光部に対向する側とは反対側の第１端面から入射する光を前記第１角部発光部に出射可能に構成された第２導光体と、
前記第２導光体の前記第１端面に光を入射する第２光源と、
を備えることを特徴とする。
【００１１】
前記意匠ケースは、前記第１角部に連なる前記第１辺縁部とは反対側の第２辺縁部と、前記第２辺縁部の連なる前記第１角部とは反対側の第２角部とをさらに有し、前記第２辺縁部と前記第２角部に発光部を有し、
前記第２導光体は、前記第２辺縁部の発光部である第２辺縁部発光部、および前記第２角部の発光部である第２角部発光部にさらに対向し、前記第２角部発光部に対向する側とは反対側の第２端面から入射する光を前記第２角部発光部に出射可能に構成され、
前記第２導光体の前記第２端面に光を入射する第３光源をさらに備え、
前記第２導光体における前記第１端面および前記第２端面の両方から入射する光を、前記第２辺縁部発光部に出射可能に構成されているとよい。
あるいは、
前記意匠ケースは、前記第２辺縁部の連なる前記第２角部とは反対側の第３角部をさらに有し、前記第３角部に発光部を有し、
前記第３角部の発光部である第３角部発光部に対向して、前記意匠ケースの内部に設けられ、前記第３角部発光部に直接、光を入射する第４光源をさらに備えてもよい。
その場合、前記第２導光体は、前記第１端面、前記第２端面、および前記第２辺縁部発光部に対向する第３端面を３つの端面とする三角板状であるとよい。
【００１２】
また、上記目的を達成するために、本発明における電子機器は、
外部に露出する角部とその角部に連なる辺縁部に発光部を有する機器本体の意匠ケースと、
前記辺縁部の発光部である辺縁部発光部に沿って前記意匠ケースの内部に設けられ、長手方向の端面から入射する光を前記辺縁部発光部に出射可能に構成された棒状の導光体と、
前記導光体の前記端面に光を入射する第１光源と、
前記角部の発光部である角部発光部に対向して、前記意匠ケースの内部に設けられ、前記第角部発光部に直接、光を入射する第２光源と、
を備えることを特徴とする。
【００１３】
前記発光部は、ラメまたは着色されたガラスフレークが分散されている、あるいは、前記ラメまたは前記ガラスフレークを混ぜた透明インクが印刷されているとよい。
【００１４】
また、上記目的を達成するために、本発明における導光体は、
棒状の導光体であって、一端から入射した光を長手方向に延びる１側面に向けて反射する反射面を長手方向に沿って複数有する第１導光体と、
略三角板状の導光体であって、互いに対向する３つの端面のうちの１つの端面と、該端面の両端にそれぞれ連なる２つの角部端面と、を連続する出光面とし、他の２つの端面からそれぞれ独立に光が入射する第２導光体と、
を備えることを特徴とする。
【００１５】
前記第１導光体の前記１側面が、前記第２導光体の前記２つの角部端面のうちの一方と連なり、略Ｌ字に曲がって延びる出光面を形成するとよい。
さらに、
棒状の導光体であって、一端から入射した光を長手方向に延びる１側面に向けて反射する反射面を長手方向に沿って複数有する第３導光体をさらに備え、
前記第３導光体の前記１側面が、前記第２導光体の前記２つの角部端面のうちの他方と連なり、略Ｕ字に曲がって延びる出光面を形成するとよい。
【００１６】
また、上記目的を達成するために、本発明における電子機器は、
少なくとも２つの辺縁部と該２つの辺縁部によって形成される角部とを含む発光部を備えた意匠ケースと、
該意匠ケースの辺縁部に沿って、入射された光を導光する導光体と、
該導光体に入射される該光を発する第１の光源と、
該意匠ケースの該角部に向かって光を照射する第２の光源と、を備え、
該第1の光源から発された光は、該発光部の該辺縁部から該意匠ケース外部に出射され
、
該第２の光源から発された光は、該意匠ケースの内側から該角部の外側に出射されることを特徴とする。
【００１７】
前記第２の光源は、前記光透過ケースの前記角部に向かって光を直接照射するとよい。
【００１８】
前記光透過ケースの前記発光部は、ラメまたは着色されたガラスフレークが分散されている、あるいは前記ラメまたは前記ガラスフレークを混ぜた透明インクが印刷されているとよい。
【発明の効果】
【００１９】
本発明によれば、発光部の辺縁を棒状の第１導光体を利用して一様に光らせるとともに、発光部の角部を第２光源によって直接的に光らせることにより、電子機器の意匠ケースの角とその角に連なる辺縁に設けた発光部において、この発光部の角部および辺縁部を一様に光らせることが可能となる。
【図面の簡単な説明】
【００２０】
【図１】本発明の実施例１に係る電子機器の発光部、導光体、光源の構成を示す模式的平面図。
【図２】本発明の実施例２に係る電子機器の発光部、導光体、光源の構成を示す模式的平面図。
【図３】本発明の実施例３に係る電子機器の発光部、導光体、光源の構成を示す模式的平面図。
【図４】本発明の実施例３に係る電子機器の意匠ケースの構成を示す模式的平面図。
【図５】本発明の実施例に係る電子機器の構成を示す模式的斜視図。
【図６】導光体に設けられる反射面の構成を示す模式的平面図。
【図７】従来例１に係る電子機器の発光部、導光体、光源の構成を示す模式的平面図。
【図８】従来例２に係る電子機器の発光部、導光体、光源の構成を示す模式的平面図。
【発明を実施するための形態】
【００２１】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２２】
（実施例１）
図１、図５及び図６を参照して本発明の実施例１に係る電子機器について説明する。図１は、本発明の実施例１に係る電子機器の発光部、導光体、光源の構成を示す模式的平面図である。図５は、本発明の実施例に係る電子機器の構成を示す模式的斜視図である。本実施例では、図５に示すように、折り畳み式の携帯電話を例として挙げる。図６は、導光体に設けられる反射面の構成を示す模式的平面図である。
【００２３】
図５に示すように、本実施例に係る電子機器１は、機器本体の意匠ケース１０と、該意匠ケース１０の外周縁に沿って帯状に延びる発光部１１と、を備える。発光部１１は、２つの角部（角部発光部）１２ａ、１２ｂと、２つの角部１２ａ、１２ｂを介して連なる３つの帯状に延びる辺縁部（辺縁部発光部）１３ａ、１３ｂ、１３ｃと、からなる略コ字形状を有する。発光部１１は、例えば、プラスチック等の光を透過可能な材料で構成されている。
【００２４】
図１に示すように、本実施例に係る電子機器１は、意匠ケース１０内部の発光部１１の内側には、第１導光体としての導光棒１４ａ、１４ｂと、第１光源としてのＬＥＤ（発光ダイオード）１５ａ、１５ｂと、第２導光体としての導光板１６と、第３光源としてのＬＥＤ１７ａと、第２光源としてのＬＥＤ１７ｂと、が収容されている。本実施例の導光体は、導光棒１４ａの側面と導光棒１４ｂの側面が、導光板１６の端面（出光面１６ｃ）の両端の２つの角部端面と連なって、略Ｕ字に曲がって延びる出光面を形成する。導光棒１４ａ、１４ｂ及び導光板１６は、例えば、アクリル樹脂やポリカーボネート樹脂などの有機材料、多成分ガラスや石英ガラス等の無機材料など、ＬＥＤの光に対して透明な材質で構成される。なお、各導光体の材質は、ＬＥＤの光を十分に透過可能であれば特に限定されるものではない。
【００２５】
発光部１１の辺縁部１３ａ、１３ｂの発光は、主として、それぞれ、導光棒１４ａとＬＥＤ１５ａ、導光棒１４ｂとＬＥＤ１５ｂにより行われる。ここでは、導光棒１４ａとＬＥＤ１５ａによる辺縁部１３ａの発光について説明し、辺縁部１３ｂの発光については、辺縁部１３ａと同様なので説明を省略する。
【００２６】
導光棒１４ａは、辺縁部１３ａに沿って延びるように設けられている。ＬＥＤ１５ａは、導光棒１４ａの一端に接続されている。導光棒１４ａは、ＬＥＤ１５ａにより一端から入射する光を辺縁部のケース内部側の面に出射可能に構成されている。具体的には、導光棒１４ａの内部には、一端から入射して長手方向に進む光を辺縁部１３ａのケース内部側の面に向かう方向に反射・散乱させる反射面が設けられている。このような反射面は、導光棒１４ａの長手方向に複数設けられており、帯状に延びる辺縁部１３ａのケース内部側の面全体に一様にＬＥＤ１５ａの光を導くことができる。具体的には、図６に示すように
、導光棒１４ａの表面にＶ字状溝４０を設けることにより反射面４０ａが形成される。Ｖ字状溝４０は、導光棒１４ａにおいて光を出射する側面とは反対側の側面に設けられる。Ｖ字状溝４０は、導光棒１４ａの長手方向に垂直な方向に延びており、光が入射する側の溝側面が反射面４０ａを形成する。反射面４０ａは、長手方向に対して所定の角度で傾斜しており、例えば４５°である。ただし、所望の発光を得る観点からは０〜９０°の範囲で適宜選択することができる。また、各溝の深さや幅、長さ等は、同一でもよいし変化してもよい。また、溝の配置についても、所望の発光を得る観点から適宜任意に決めることができる。
【００２７】
発光部１１の角部１２ａ、１２ｂと辺縁部１３ｃの発光は、主として、導光板１６と、ＬＥＤ１７ａ、１７ｂにより行われる。
【００２８】
導光板１６は、ＬＥＤ１７ａが接続される第１入光面（第２端面）１６ａと、ＬＥＤ１７ｂが接続される第２入光面（第１端面）１６ｂと、辺縁部１３ｃのケース内部側の面に接する（対向する）出光面（第３端面）１６ｃと、を有している。導光板１６は、これら３辺からなる概略三角形板状体の全体形状を有する。
【００２９】
また、導光板１６の第１入光面１６ａと出光面１６ｃとの間の角部は、発光部１１の角部１２ａのケース内側の面に接する（対向する）出光角部（角部端面）１６ｄとなっている。また、第２入光面１６ｂと出光面１６ｃとの間の角部は、発光部１１の角部１２ｂのケース内側の面に接する（対向する）出光角部（角部端面）１６ｅとなっている。
【００３０】
第２入光面１６ｂの出光面１６ｃに対する角度及びＬＥＤ１７ｂの接続位置は、ＬＥＤ１７ｂから入射した光が、出光角部１６ｄ及び出光面１６ｃから出射するように、また、光の強度が出光角部１６ｄで最も高く、出光面１６ｃに沿って出向角部１６ｅに近づくにしたがって徐々に弱くなるように、適宜設定される。同様に、第１入光面１６ａの出光面１６ｃに対する角度及びＬＥＤ１７ａの接続位置は、ＬＥＤ１７ａから入射した光が、出光角部１６ｅ及び出光面１６ｃから出射するように、また、光の強度が出光角部１６ｅで最も高く、出光面１６ｃに沿って出向角部１６ｄに近づくにしたがって徐々に弱くなるように、適宜設定される。
【００３１】
すなわち、導光板１６は、角部１２ａのケース内側の面に対しては、ＬＥＤ１７ｂの光が直接的に入射するように構成され、角部１２ｂのケース内側の面に対しては、ＬＥＤ１７ａの光が直接的に入射するように構成されている。また、辺縁部１３ｃのケース内側の面に対しては、ＬＥＤ１７ａとＬＥＤ１７ｂの両方の光がそれぞれ入射するように構成されている。
【００３２】
＜本実施例の優れた点＞
本実施例によれば、導光棒による間接照明とＬＥＤの直接照明を組み合わせることにより、各々単独の手法では難しかった、角部が含まれていたり形状が不均一であったりする小型電子機器の周辺部を一様に発光させることが可能となる。
【００３３】
すなわち、本実施例によれば、発光部における長辺部（辺縁部１３ａ、１３ｂ）は側面発光する導光棒により均一に発光させることができる。また、２つの角部（角部１２ａ、１２ｂ）と短辺部（辺縁部１３ｃ）に関しては、その３つの部位に接し、かつ２つの角部に対向する辺を持つ導光板の、対向する２つの辺から各々ＬＥＤ光を入射することにより、３つの部位を均一に発光させることができる。
【００３４】
また、２つの辺を対向させることにより、辺部における各々のＬＥＤの照射領域を重ねることができるので、ムラのない均一な光の分布の設計を比較的容易に行うことができる
。
【００３５】
（実施例２）
図２に参照して本発明の実施例２に係る電子機器について説明する。図２は、本発明の実施例２に係る電子機器の発光部、導光体、光源の構成を示す模式的平面図である。なお、本実施例に係る電子機器の全体構成は、実施例１（図５）と同様であり説明は省略する。
【００３６】
図２に示すように、本実施例に係る電子機器は、意匠ケースの発光部２１の内側に、第１導光体としての導光棒２４ａ、２４ｂ、２４ｃと、第１光源としてのＬＥＤ２５ａ、２５ｂ、２５ｃと、第２光源としてのＬＥＤ２７ａ、２７ｂと、が収容されている。
【００３７】
発光部２１の辺縁部２３ａ、２３ｂ、２３ｃの発光は、主として、それぞれ、導光棒２４ａとＬＥＤ２５ａ、導光棒２４ｂとＬＥＤ２５ｂ、導光棒２４ｃとＬＥＤ２５ｃにより行われる。各辺縁部の発光については、実施例１の辺縁部１３ａ（導光棒１４ａとＬＥＤ１５ａ）と同様なので、説明を省略する。
【００３８】
発光部２１の角部２２ａ、２２ｂの発光は、主として、ＬＥＤ２７ａ、２７ｂの光をそれぞれ角部２２ａ、２２ｂに直接入射させることにより行われる。すなわち、本実施例では、上記実施例１のように導光体を介さずに、光源を発光部に直接接続して角部を発光させる構成としている。
【００３９】
角部２２ａ、２２ｂは、角部頂点とＬＥＤ２７ａ、２７ｂとが正対する部位において厚みを最も大きくし角部２２ａ、２２ｂの端面全体が一様に光るように構成されている。
【００４０】
本実施例によれば、角部２２ａ、２２ｂの形状や厚み、ＬＥＤ２７ａ、２７ｂの接続位置等を適宜設定することにより、発光部全体の一様な発光を容易に実現することができる。
【００４１】
（実施例３）
図３及び図４を参照して本発明の実施例３に係る電子機器について説明する。図３は、本発明の実施例３に係る電子機器の発光部、導光体、光源の構成を示す模式的平面図である。図４は、本発明の実施例３に係る電子機器の意匠ケースの構成を示す模式的平面図である。
【００４２】
本実施例に係る電子機器は、導光体及び光源の構成を、概略、実施例１と実施例２を組み合わせたような構成としたことを特徴としている。
【００４３】
図４に示すように、本実施例に係る電子機器１’’は、意匠ケース１０の外周端面（縁部４辺）を一周するように発光部３１が設けられている。発光部３１は、４つの辺縁部３３ａ、３３ｂ、３３ｃ、３３ｄを有する。また、意匠ケース１０の上面において発光領域を部分的に大きくするため、各辺縁部をつなぐ角部のうち角部３２ｂと角部３２ｃは、意匠ケース１０上面における露出幅が、他の角部よりも大きく構成されている。
【００４４】
本実施例に係る電子機器１’’は、意匠ケース１０の発光部３１の内側に、第１導光体としての導光棒３４ａ１、３４ａ２、３４ｂ１、３４ｂ２、３４ｄと、第１光源としてのＬＥＤ３５ａ１、３５ａ２、３５ｂ１、３５ｂ２、３５ｄと、第２導光体としての導光板３６と、第２光源としてのＬＥＤ３７ａ、３７ｂ、３８ａ、３８ｂ、３８ｃと、が収容されている。導光棒３４ａ１と導光板３６、導光棒３４ｂ２と導光棒３４ｄは、それぞれ一体的に構成されている。導光棒３４ａ１と導光板３６は、略Ｌ字に曲がって延びる出光面
を有する。
【００４５】
辺縁部３３ａの発光は、主として、導光棒３４ａ１、３４ａ２、ＬＥＤ３５ａ１、３５ａ２により行われる。また、辺縁部３３ｂの発光は、主として、導光棒３４ｂ１、３４ｂ２、ＬＥＤ３５ｂ１、３５ｂ２により行われる。また、辺縁部３３ｄの発光は、主として、導光棒３４ｄ、ＬＥＤ３５ｄにより行われる。
【００４６】
辺縁部３３ｃ及び角部３２ａの発光は、主として、導光板３６、ＬＥＤ３７ａ、３７ｂにより行われる。導光板３６における入光面の出光面に対する角度やＬＥＤ３７ａ、３７ｂの接続位置については、上記実施例１の導光板１６と同様、角部３２ａから辺縁部３３ｃ、及び辺縁部３３ｃと角部３２ｂとの境目までの領域を一様に発光させるように、適宜設定される。
【００４７】
角部３２ｂの発光は、主として、ＬＥＤ３８ａ、３８ｂにより行われる。また、角部３２ｃの発光は、主として、ＬＥＤ３８ｃにより行われる。角部３２ｂ、３２ｃの形状や厚み、ＬＥＤ３８ａ、３８ｂ、３８ｃの接続位置等は、角部３２ｂ、３２ｃの端面だけでなく意匠ケース１０上面側の発光領域も含めて一様に光るように、適宜設定される。
【００４８】
本実施例によれば、導光棒、導光板、角部への直接入射の３つの形態を組み合わせることにより、小型電子機器の全周で、かつ部分的に発光エリアの大きい部位の存在するような複雑な形状でも全周を均一に発光する設計が可能となる。
【００４９】
（その他）
意匠ケース１０の発光部は、単純な透明部材の場合、角度によっては光を視認できなかったり、逆に光が強く感じられて光ムラとなって見えてしまったりする場合がある。したがって、発光部の透明性を損なわない範囲で、ケース材料にラメまたは着色されたガラスフレークを分散させるか、あるいは、ラメまたは着色されたガラスフレークを透明インクに混ぜて印刷してもよい。これにより透明な意匠を損なうことなく、全ての方向から観察してムラなく発光させることが可能となる。
【符号の説明】
【００５０】
１   電子機器
１０ 意匠ケース
１１ 発光部
１２ａ、１２ｂ     角部
１３ａ、１３ｂ、１３ｃ    辺縁部
１４ａ、１４ｂ     導光棒
１５ａ、１５ｂ     ＬＥＤ
１６ 導光板
１７ａ、１７ｂ     ＬＥＤ
【図１】
2012199015.tif 000003
【図２】
2012199015.tif 000004
【図３】
2012199015.tif 000005
【図４】
2012199015.tif 000006
【図５】
2012199015.tif 000007
【図６】
2012199015.tif 000008
【図７】
2012199015.tif 000009
【図８】
2012199015.tif 000010